(57)【要約】高品質なプリントができるプリンタ付きカメラ及びその表示制御方法を提供する。プリンタ付きカメラは、露光用開口を備えたインスタントフィルムパックが装填されるインスタントフィルムパック装填部と、インスタントフィルムパック装填部に装填されたインスタントフィルムパックに対して、露光用開口を介して、表示面がインスタントフィルムパック内のインスタントフィルムの露光面と対向して配置され、画像の表示によりインスタントフィルムを露光させる第１表示部と、第１表示部の表示面に備えられ、第１表示部の各画素からの光の出光方向を一定範囲に制限する出光方向制限部材と、被写体像を撮像する撮像部と、画像を外部に表示する第２表示部と、第２表示部に表示されている画像のプリントを指示するプリント指示部と、プリント指示部でプリントが指示された場合に、第１表示部に画像を表示させて、インスタントフィルムの露光面に、露光させる表示制御部と、を備える。
2020054732.tif 000002
【特許請求の範囲】
【請求項１】
露光用開口を備えたインスタントフィルムパックが装填されるインスタントフィルムパック装填部と、
前記インスタントフィルムパック装填部に装填された前記インスタントフィルムパックに対して、前記露光用開口を介して、表示面が前記インスタントフィルムパック内のインスタントフィルムの露光面と対向して配置され、画像の表示により前記インスタントフィルムを露光させる第１表示部と、
前記第１表示部の表示面に備えられ、前記第１表示部の各画素からの光の出光方向を一定範囲に制限する出光方向制限部材と、
被写体像を撮像する撮像部と、
画像を外部に表示する第２表示部と、
前記第２表示部に表示されている画像のプリントを指示するプリント指示部と、
前記プリント指示部でプリントが指示された場合に、前記第１表示部に画像を表示させて、前記インスタントフィルムの露光面に、露光させる表示制御部と、
を備えるプリンタ付きカメラ。
【請求項２】
前記第１表示部に表示させる画像を処理する画像処理部を更に備え、
前記表示制御部は、前記インスタントフィルムに露光する際、前記画像処理部で画像処理することにより、前記撮像部で撮像し前記第２表示部に表示した画像とは異なる画像を前記第１表示部に表示させて、前記インスタントフィルムの露光面に露光する、
請求項１に記載のプリンタ付きカメラ。
【請求項３】
前記表示制御部は、前記第２表示部の画像に比べ、前記画像処理部によりエッジ強調処理された画像を前記第１表示部に表示させて、前記インスタントフィルムの露光面に露光する、
請求項２に記載のプリンタ付きカメラ。
【請求項４】
前記画像処理部は、エッジ強調処理としてアンシャープマスク処理により前記エッジ強調処理を行う、
請求項３に記載のプリンタ付きカメラ。
【請求項５】
前記表示制御部は、前記第２表示部の画像に比べ、前記画像処理部により前記第１表示部の解像度に応じて重み付けを行った前記アンシャープマスク処理された画像を前記第１表示部に表示させる、
請求項４に記載のプリンタ付きカメラ。
【請求項６】
前記プリント指示部でプリントが指示された場合に、露光を終えた前記インスタントフィルムを送り出すフィルム送出機構と、
フィルム送出機構によって送出された前記インスタントフィルムを現像しながら排出するフィルム搬送機構と、を更に備える、
請求項１から５のいずれか一項に記載のプリンタ付きカメラ。
【請求項７】
前記表示制御部は、前記第２表示部に表示されている画像を前記画像処理部により反転させた画像を、前記第１表示部に表示させる、
請求項２から５のいずれか一項に記載のプリンタ付きカメラ。
【請求項８】
前記表示制御部は、前記第１表示部及び前記第２表示部の表示を制御し、前記第１表示部に画像を表示させて前記インスタントフィルムを露光させている間、前記第２表示部の表示をオフにする、
請求項１から７のいずれか一項に記載のプリンタ付きカメラ。
【請求項９】
前記撮像部のオン及びオフを制御する撮像制御部を更に備え、
前記撮像制御部は、前記第１表示部への画像の表示中、前記撮像部をオフにする、
請求項１から８のいずれか一項に記載のプリンタ付きカメラ。
【請求項１０】
前記撮像制御部は、前記インスタントフィルムパックが前記インスタントフィルムパック装填部の装填前、又は露光前のインスタントフィルムが前記インスタントフィルムパックに存在しない場合でも撮像を許可する、
請求項９に記載のプリンタ付きカメラ。
【請求項１１】
撮像モードと再生モードとを切り換えるモード切換部と、
を備え、
前記撮像モードに設定された場合、前記表示制御部は、プリント対象の画像として撮像された画像を前記第２表示部に表示させる、
前記再生モードに設定された場合、前記表示制御部は、プリント対象の画像として画像記憶部に記憶されている画像を前記第２表示部に表示させる、
請求項１から１０のいずれか一項に記載のプリンタ付きカメラ。
【請求項１２】
前記表示制御部は、前記第２表示部に撮像に関する情報を表示する、
請求項１から１１のいずれか一項に記載のプリンタ付きカメラ。
【請求項１３】
前記第２表示部の表示面へのタッチ操作を検出するタッチ操作検出部を更に備えた、
請求項１から１２のいずれか１項に記載のプリンタ付きカメラ。
【請求項１４】
前記出光方向制限部材がルーバー部材又は多孔板である、
請求項１から１３のいずれか一項に記載のプリンタ付きカメラ。
【請求項１５】
各画素からの光の出光方向を一定範囲に制限する出光方向制限部材を表示面に備え、画像の表示によりインスタントフィルムを面で露光させる第１表示部と、画像を外部に表示する第２表示部と、を備えたプリンタ付きデジタルカメラの表示制御方法であって、
第２表示部に表示されている画像のプリントを指示することにより、前記第１表示部に画像を表示させて前記インスタントフィルムを露光させる、
プリンタ付きカメラの表示制御方法。
【請求項１６】
前記第２表示部に表示した画像を、画像処理した画像を前記第１表示部に表示させて、
前記インスタントフィルムを露光する、
請求項１５に記載のプリンタ付きカメラの表示制御方法。
【発明の詳細な説明】
【技術分野】
【０００１】
本発明は、プリンタ付きカメラ及びその表示制御方法に係り、特に、インスタントフィルムを使用して画像をプリントするプリンタ付きカメラ及びその表示制御方法に関する。
【背景技術】
【０００２】
カメラボディにプリンタを内蔵し、撮像した画像をその場でメディアにプリントできるプリンタ付きカメラが知られている。
【０００３】
特許文献１には、インスタントフィルムを使用して画像をプリントするプリンタ付きカメラが、カメラボディに露光用のディスプレイを内蔵し、その露光用のディスプレイを用いて、インスタントフィルムを面で露光することが記載されている。
【先行技術文献】
【特許文献】
【０００４】
【特許文献１】特開２００１−４５３４２号公報
【発明の概要】
【発明が解決しようとする課題】
【０００５】
しかしながら、特許文献１に記載のプリンタ付きカメラのように、ディスプレイを用いてインスタントフィルムを面で露光すると、ディスプレイの各画素からの光が拡散して、プリントされる画像がぼけるという欠点がある。
【０００６】
本発明は、このような事情に鑑みてなされたもので、高品質な画像をプリントできるプリンタ付きカメラ及びその表示制御方法を提供することを目的とする。
【課題を解決するための手段】
【０００７】
第１の態様のプリンタ付きカメラは、露光用開口を備えたインスタントフィルムパックが装填されるインスタントフィルムパック装填部と、インスタントフィルムパック装填部に装填されたインスタントフィルムパックに対して、露光用開口を介して、表示面がインスタントフィルムパック内のインスタントフィルムの露光面と対向して配置され、画像の表示によりインスタントフィルムを露光させる第１表示部と、第１表示部の表示面に備えられ、第１表示部の各画素からの光の出光方向を一定範囲に制限する出光方向制限部材と、被写体像を電子的に撮像する撮像部と、画像を外部に表示する第２表示部と、第２表示部に表示されている画像のプリントを指示するプリント指示部と、プリント指示部でプリントが指示された場合に、第１表示部に画像を表示させて、インスタントフィルムの露光面に、露光させる表示制御部と、を備える。
【０００８】
第１の態様によれば、第２表示部に表示された画像にプリントを指示し、第１表示部に画像を表示させ、出光方向制限部材を介してインスタントフィルムを露光する。これにより、記録される画像のぼけを防止でき、高品質な画像をプリントできる。
【０００９】
第２の態様のプリンタ付きカメラにおいて、第１表示部に表示させる画像を処理する画像処理部を更に備え、表示制御部は、インスタントフィルムに露光する際、画像処理部で画像処理することにより、撮像部で撮像し第２表示部に表示した画像とは異なる画像を第１表示部に表示させて、インスタントフィルムの露光面に露光する。第２の態様によれば、インスタントフィルムへの露光に適した画像を露光できる。
【００１０】
第３の態様のプリンタ付きカメラにおいて、表示制御部は、第２表示部の画像に比べ、画像処理部によりエッジ強調処理された画像を第１表示部に表示させて、インスタントフィルムの露光面に露光する。第３の態様によれば、出光方向制限部材を透過した光の拡散に起因するぼけを抑制できる。
【００１１】
第４の態様のプリンタ付きカメラにおいて、画像処理部は、エッジ強調処理としてアンシャープマスク処理によりエッジ強調処理を行う。第４の態様によれば、アンシャープマスク処理により、高周波成分の濃度差を強調できる。
【００１２】
第５の態様のプリンタ付きカメラにおいて、表示制御部は、第２表示部の画像に比べ、画像処理部により第１表示部の解像度に応じて重み付けを行ったアンシャープマスク処理された画像を第１表示部に表示させる。第５の態様によれば、解像度に応じて重み付けを行ったアンシャープマスク処理を行うことができる。
【００１３】
第６の態様のプリンタ付きカメラにおいて、プリント指示部でプリントが指示された場合に、露光を終えたインスタントフィルムを送り出すフィルム送出機構と、フィルム送出機構によって送出されたインスタントフィルムを現像しながら排出するフィルム搬送機構と、を更に備える。第６の態様によれば、インスタントフィルムを送り出し、かつ現像しながら搬送できる。
【００１４】
第７の態様のプリンタ付きカメラにおいて、表示制御部は、第２表示部に表示されている画像を画像処理部により反転させた画像を、第１表示部に表示させる。第７の態様によれば、画像処理として、反転処理を行うことができる。
【００１５】
第８の態様のプリンタ付きカメラにおいて、表示制御部は、第１表示部及び第２表示部の表示を制御し、第１表示部に画像を表示させてインスタントフィルムを露光させている間、第２表示部の表示をオフする。第８の態様によれば、露光中、第２表示部の表示がオフされる。これにより、電力のピーク値を低減でき、電力負荷を低減できる。
【００１６】
第９の態様のプリンタ付きカメラにおいて、撮像部のオン及びオフを制御する撮像制御部を更に備え、撮像制御部は、第１表示部への画像の表示中、撮像部をオフする。第９の態様によれば、露光中、撮像部がオフされる。これにより、更に効果的に電力のピーク値を低減でき、電力負荷を低減できる。
【００１７】
第１０の態様のプリンタ付きカメラにおいて、撮像制御部は、インスタントフィルムパックがインスタントフィルムパック装填部の装填前、又は露光前のインスタントフィルムがインスタントフィルムパックに存在しない場合でも撮像を許可する。第１０の態様によれば、露光できるインスタントフィルムが存在しない場合でも、撮像画像が記憶される。
【００１８】
第１１の態様のプリンタ付きカメラにおいて、撮像モードと再生モードとを切り換えるモード切換部と、を備え、撮像モードに設定された場合、表示制御部は、プリント対象の画像として撮像された画像を第２表示部に表示させる、再生モードに設定された場合、表示制御部は、プリント対象の画像として画像記憶部に記憶されている画像を第２表示部に表示させる。
【００１９】
第１１の態様によれば、撮像モードに設定することにより、撮像された画像を第２表示部に表示させることができる。また、再生モードに設定することにより、画像記憶部に記憶されている画像を第２表示部に表示させることができる。
【００２０】
第１２の態様のプリンタ付きカメラにおいて、表示制御部は、第２表示部に撮像に関する情報を表示する。第１２の態様によれば、ユーザの撮像を補助できる。
【００２１】
第１３の態様のプリンタ付きカメラにおいて、第２表示部の表示面へのタッチ操作を検出するタッチ操作検出部を更に備える。第１３の態様によれば、タッチ操作検出部が第２表示部の表示面に備えられる。
【００２２】
第１４の態様のプリンタ付きカメラにおいて、出光方向制限部材がルーバー部材又は多孔板である。第１４の態様によれば、出光方向制限部材が、ルーバー部材又は多孔板で構成される。
【００２３】
第１５の態様のプリンタ付きカメラの表示制御方法は、各画素からの光の出光方向を一定範囲に制限する出光方向制限部材を表示面に備え、画像の表示によりインスタントフィルムを面で露光させる第１表示部と、画像を外部に表示する第２表示部と、を備えたプリンタ付きデジタルカメラの表示制御方法であって、第２表示部に表示されている画像のプリントを指示することにより、第１表示部に画像を表示させてインスタントフィルムを露光させる。
【００２４】
第１５の態様によれば、第２表示部に表示された画像にプリントを指示し、第１表示部に画像を表示させ、出光方向制限部材を介してインスタントフィルムを露光する。これにより、記録される画像のぼけを防止でき、高品質な画像をプリントできる。
【００２５】
第１６の態様のプリンタ付きカメラの表示制御方法において、第２表示部に表示した画像を、画像処理した画像を第１表示部に表示させて、インスタントフィルムを露光する。
第１６の態様によれば、露光に適した画像をインスタントフィルムに露光できる。
【発明の効果】
【００２６】
本発明によれば、高品質な画像をプリントできるプリンタ付きカメラ、及びその表示制御方法を提供できる。
【図面の簡単な説明】
【００２７】
【図１】図１は、プリンタ付きカメラの一実施形態の外観構成を示す正面斜視図である。
【図２】図２は、図１に示すプリンタ付きカメラの正面図である。
【図３】図３は、図１に示すプリンタ付きカメラの背面斜視図である
【図４】図４は、プリンタ付きカメラの他の実施形態の外観構成を示す正面である。
【図５】図５は、図１に示すプリンタ付きカメラのフィルム蓋カバーが開けられた状態を示す斜視図である。
【図６】図６は、プリンタ付きカメラの内部の概略構成を示す断面図である。
【図７】図７は、インスタントフィルムパックの斜視図である。
【図８】図８は、インスタントフィルムの正面図である。
【図９】図９は、インスタントフィルムの背面図である。
【図１０】図１０は、露光用ディスプレイ及びディスプレイの概略構成を示す図である。
【図１１】図１１は、ルーバー部材とインスタントフィルムパックとの大きさの関係を示す斜視図である。
【図１２】図１２は、ルーバー部材の一部を拡大した断面図である。
【図１３】図１３は、ルーバー部材の一部を拡大した正面図である。
【図１４】図１４は、ルーバー部材の積層体を説明するための説明図である。
【図１５】図１５は、ルーバー部材の積層体の正面図である。
【図１６】図１６は、ルーバー部材の別の積層体の一部を拡大した正面図である。
【図１７】図１７は、プリンタ付きデジタルカメラの電気的構成を示すブロック図である。
【図１８】図１８は、プリント用画像の生成の概念図である。
【図１９】図１９は、表示コントローラが有する機能のブロック図である。
【図２０】図２０は、撮像モードでの画像表示用ディスプレイの表示の一例を示す図である。
【図２１】図２１は、再生モードでの画像表示用ディスプレイの表示の一例を示す図である。
【図２２】図２２は、再生モードでプリントする場合の画像表示用ディスプレイの画面表示の遷移状態を示す図である。
【図２３】図２３は、画像表示用ディスプレイ及び露光用ディスプレイの表示制御のタイミングチャートである。
【図２４】図２４は、画像表示用ディスプレイ及び露光用ディスプレイを同じ画像出力インターフェイスに接続する場合の概念図である。
【図２５】図２５は、スイッチにより点灯させるバックライトを切り替えて、画像表示用ディスプレイ及び露光用ディスプレイの表示のオン及びオフを制御する場合の概念図である。
【図２６】図２６は、インスタントフィルムパックを挟んで画像表示用ディスプレイ及び露光用ディスプレイを配置する場合のプリンタ付きデジタルカメラの概略構成を示す図である。
【図２７】図２７は、画像処理における高周波成分強調処理の一例を説明するための説明図である。
【図２８】図２８は、画像処理における高周波成分強調処理の一例を説明するための、図２７に続く説明図である。
【図２９】図２９は、画像処理における高周波成分強調処理の一例を説明するための、図２８に続く説明図である。
【図３０】図３０は、アンシャープマスク処理の好ましい範囲を説明するためのグラフである。
【発明を実施するための形態】
【００２８】
以下、添付図面に従って本発明の好ましい実施の形態について詳説する。
【００２９】
［外観構成］
図１は、プリンタ付きカメラの一実施形態の外観構成を示す正面斜視図である図２は、図１に示すプリンタ付きカメラの正面図である。図３は、図１に示すプリンタ付きカメラの背面斜視図である。なお、図１から図３において、矢印ｘで示す方向は、プリンタ付きカメラ１の左右方向である。矢印ｙで示す方向は、プリンタ付きカメラ１の上下方向である。矢印ｚで示す方向は、プリンタ付きカメラ１の前後方向である。左右方向は、水平方向、横方向又は幅方向と同義である。上下方向は、垂直方向、高さ方向又は縦方向と同義である。前後方向は、光軸方向、奥行き方向と同義である。
【００３０】
本実施の形態のプリンタ付きカメラ１は、インスタントフィルムを使用して画像をプリントするプリンタ付きカメラである。インスタントフィルムは、インスタントフィルムパックの形態でプリンタ付きカメラ１に装填される。
【００３１】
図１から図３に示されるように、プリンタ付きカメラ１は、携帯可能なカメラボディ１０を有する。
【００３２】
カメラボディ１０の正面側には、撮像レンズ１２、フィルム蓋カバー１４等が備えられる。フィルム蓋カバー１４は、フィルム装填室を開閉するカバーである。フィルム蓋カバー１４は、カメラボディ１０の底面に備えられたヒンジ１４ａ（図６参照）を介して開閉可能に設けられる。後述するように、撮像レンズ１２及びイメージセンサ４２が、被写体像を電子的に撮像する撮影部を構成する。撮影部の光軸は、撮像レンズ１２の光軸になる。
【００３３】
カメラボディ１０の背面側には、画像表示用ディスプレイ１６が備えられる。画像表示用ディスプレイ１６は、第２表示部の一例である。画像表示用ディスプレイ１６は、撮像の際にライブビュー用モニタとして使用される他、撮像済み画像を観賞する際に再生用モニタ等として使用される。ライブビューとは、イメージセンサがとらえた画像をリアルタイムに表示する機能のことである。画像表示用ディスプレイ１６は、タッチパネルディスプレイで構成される。したがって、画像表示用ディスプレイ１６は、操作部としても機能する。
【００３４】
カメラボディ１０の片側の側面には、電源ボタン１８が備えられる。プリンタ付きカメラ１は、この電源ボタン１８を長押しすることにより、電源がオン及びオフされる。
【００３５】
カメラボディ１０の上面には、フィルム排出口２０が備えられる。フィルム排出口２０は、インスタントフィルム１１０が通過可能なスリットで構成される。プリントされたインスタントフィルム１１０は、このフィルム排出口２０から排出される。
【００３６】
カメラボディ１０は、図２に示されるように、撮像レンズ１２の光軸（ｚ方向）に垂直方向に交わる軸を垂直軸Ｖ（ｙ方向）とし、撮像レンズ１２の光軸と垂直軸Ｖのそれぞれと垂直に交わる軸を水平軸Ｈ（ｘ方向）とした場合、垂直軸Ｖに沿う長さが、水平軸Ｈに沿う長さより大きい縦型筐体である。カメラボディ１０を通常に使用する向きで設置した状態において、撮像レンズ１２及びフィルム排出口２０（不図示）は、カメラボディ１０の上部側に配置される。インスタントフィルム１１０は、フィルム排出口２０から垂直軸Ｖに沿って矢印で示す送り方向Ｆの方向に排出される。上部側とは、カメラボディ１０を通常に使用する向きで設置した状態（水平軸Ｈが設置面に対し水平な向きで設置した状態）において、水平軸Ｈに平行でカメラボディ１０の中心を通る水平中央線ＨＣＬを挟んで、設置面と反対側を意味する。送り方向Ｆで示す方向は、インスタントフィルム１１０の送り方向である。
【００３７】
図４は、プリンタ付きカメラの他の実施形態の外観構成を示す正面である。カメラボディ１０は、撮像レンズ１２の光軸（ｚ方向）に垂直方向に交わる軸を垂直軸Ｖ（ｙ方向）とし、撮像レンズ１２の光軸と垂直軸Ｖのそれぞれと垂直に交わる軸を水平軸Ｈ（ｘ方向）とした場合、水平軸Ｈに沿う長さが、垂直軸Ｖに沿う長さより大きい横型筐体である。カメラボディ１０を通常に使用する向きで設置した状態において、撮像レンズ１２は上部側に配置される。フィルム排出口２０（不図示）は、撮像レンズ１２と同じ側の側部（側面）に配置される。インスタントフィルム１１０は、フィルム排出口２０から水平軸Ｈに沿って送り方向Ｆの方向に排出される。上部側とは、カメラボディ１０を通常に使用する向きで設置した状態（水平軸Ｈが設置面に対し水平な向きで設置した状態）において、水平軸Ｈに平行でカメラボディ１０の中心を通る水平中央線ＨＣＬを挟んで、設置面と反対側を意味する。
【００３８】
同じ側とは、カメラボディ１０を通常に使用する向きで設置した状態において、垂直軸Ｖに平行でカメラボディ１０の中心を通る垂直中央線ＶＣＬを境に、一方側を意味する。
【００３９】
図２、及び図４に示されるように、プリンタ付きカメラ１は、インスタントフィルムパック１００（図７参照）の装填部（インスタントフィルムパック装填部）であるフィルム装填室５０を備える。撮像レンズ１２を含む撮像部と、フィルム装填室５０とは、正面視において異なる位置にある。異なる位置とは、正面視で撮像部とフィルム装填室５０とが重ならない位置関係にあることを意味する。このような配置は、プリンタ付きカメラ１の奥行き方向の長さを短くすることを可能にし、プリンタ付きカメラ１を薄型化できる。
【００４０】
［内部構造］
図５は、プリンタ付きカメラのフィルム蓋カバーが開けられた状態を示す斜視図である。図６は、プリンタ付きデジタルカメラの内部の概略構成を示す断面図である。図５は、インスタントフィルムパック１００を装填する前の状態を示す。プリンタ付きカメラ１は、カメラに係わる構成要素として、撮像レンズ１２、イメージセンサ４２等を備える。また、プリンタに係わる構成要素として、フィルム装填室５０、フィルム送出機構５２、フィルム搬送機構５４、露光用ディスプレイ５６、フィルム蓋カバー１４に設けられたバネ機構５７等を備える。また、カメラ、及びプリンタに共通する構成要素として、画像表示用ディスプレイ１６を備える。
【００４１】
〈撮像レンズ〉
撮像レンズ１２は、被写体の光学像をイメージセンサ４２の受光面上に結像させる。撮像レンズ１２は、焦点調節機能を有し、図示しない絞り及びシャッタを含んで構成される。
【００４２】
〈イメージセンサ〉
イメージセンサ４２は、たとえば、ＣＣＤイメージセンサ（CCD：Charge Coupled Device）、ＣＭＯＳイメージセンサ（CMOS：Complementary Metal Oxide Semiconductor）等の二次元の固体撮像素子で構成される。イメージセンサ４２は、使用するインスタントフィルムのプリント可能領域に対応したアスペクト比の撮像領域を有する。
【００４３】
本実施の形態のプリンタ付きカメラ１では、撮像レンズ１２及びイメージセンサ４２が、被写体像を電子的に撮像する撮像部を構成する。
【００４４】
〈フィルム装填室〉
フィルム装填室５０は、インスタントフィルムパック１００の装填部（インスタントフィルムパック装填部）である。フィルム装填室５０は、凹部で構成され、フィルム蓋カバー１４によって開閉される。凹部は、インスタントフィルムパック１００が嵌まる形状を有し、フィルム蓋カバー１４を閉じることにより、暗室状態で密閉される。フィルム蓋カバー１４はフィルム装填室５０においてインスタントフィルムパック１００を固定する。フィルム蓋カバー１４に設けられたバネ機構５７は、フィルム蓋カバー１４を閉じた状態でインスタントフィルム１１０の露光面と後述する出光方向制限部材との離間した配置位置を固定する。バネ機構５７は、インスタントフィルム１１０を出光方向制限部材に向けて付勢できればよく、その構造は特に限定されない。例えば、押圧部を互いに逆向きにした一対のレバー部材とレバー部材を付勢するバネとを含むバネ機構でもよく、またピンとピンを付勢するコイルバネとを含むバネ機構でもよい。
【００４５】
〈インスタントフィルムパック〉
インスタントフィルムパック１００は、複数枚のインスタントフィルム１１０がケース１２０に収容された構造を有する。
【００４６】
図７は、インスタントフィルムパックの分解斜視図である。図８は、インスタントフィルムの正面図である。図９は、インスタントフィルムの背面図である。なお、図７から図９において、送り方向Ｆで示す方向は、インスタントフィルム１１０の送り方向である。インスタントフィルム１１０は、送り方向Ｆで示す方向に送られてケース１２０から排出される。
【００４７】
インスタントフィルム１１０は、いわゆる「モノシートタイプ」（シートフィルム方式、integral filmなどとも称される）のインスタントフィルムであり、露光面の裏に像が現れる方式のインスタントフィルムである。インスタントフィルム１１０は、矩形のカード形状を有する。インスタントフィルム１１０は、一方側の面が露光面１１０ａ、他方側の面が観察面１１０ｂとして構成される。露光面１１０ａが、露光により像を記録する面であり、観察面１１０ｂが、記録された像を観察する面である。
【００４８】
図９に示されるように、インスタントフィルム１１０の露光面１１０ａには、露光領域１１２、ポッド部１１４、及び、トラップ部１１６が備えられる。
【００４９】
露光領域１１２は、露光により画像を記録する領域である。露光領域１１２が、インスタントフィルム１１０のプリント可能領域となる。露光領域１１２を挟んで、ポッド部１１４とトラップ部１１６とが送り方向Ｆの前後に配置される。
【００５０】
ポッド部１１４は、露光領域１１２に対して送り方向Ｆの前側に配置される。ポッド部１１４には、現像処理液を内包した現像処理液ポッド１１４ａが内蔵される。
【００５１】
トラップ部１１６は、露光領域１１２に対して送り方向Ｆの後側に配置される。トラップ部１１６には、吸収材１１６ａが内蔵される。
【００５２】
図８に示されるように、インスタントフィルム１１０の観察面１１０ｂには、観察領域１１８が備えられる。観察領域１１８は、画像が表示される領域である。露光領域１１２を現像処理することにより、観察領域１１８に画像が表示される。観察領域１１８は、露光領域１１２に対応して配置される。観察領域１１８の周囲には、枠１１８ａが備えられる。したがって、画像は枠内に表示される。
【００５３】
なお、インスタントフィルム１１０は、トラップ部１１６が上、ポッド部１１４が下となる向きで観賞する。したがって、画像は、トラップ部１１６が上、ポッド部１１４が下となる向きでプリントされる。
【００５４】
インスタントフィルム１１０は、露光後、ポッド部１１４の現像処理液を露光領域１１２に展開させることにより現像処理される。ポッド部１１４の現像処理液は、インスタントフィルム１１０を一対のローラである展開ローラ対５４ａの間に通すことで、ポッド部１１４から絞り出され、露光領域１１２に展開される。展開処理時に余った現像処理液が、トラップ部１１６で捕捉される。
【００５５】
ケース１２０は、矩形の箱形状を有する。ケース１２０は、正面部分に矩形状の露光用開口１２０ａ（インスタントフィルムパック１００の露出用開口）を有する。また、ケース１２０は、天面部分にスリット状の排出口１２０ｂを有する。インスタントフィルム１１０は、露光面１１０ａをケース１２０の正面側（露光用開口１２０ａ側）に向け、かつ、ポッド部１１４をケース１２０の天面側（排出口１２０ｂ側）に向けて、ケース内に重ねて収容される。また、ケース１２０は、底面部分にスリット状のクロー開口部１２０ｃを有する。ケース１２０に収容されたインスタントフィルム１１０は、このクロー開口部１２０ｃからクロー５２ａを進入させることにより、１枚ずつ排出口１２０ｂに向けて送られ、排出口１２０ｂから排出される。
【００５６】
１つのインスタントフィルムパック１００には、複数枚（たとえば１０枚）のインスタントフィルム１１０が収容される。
【００５７】
〈フィルム送出機構〉
フィルム送出機構５２は、フィルム装填室５０に装填されたインスタントフィルムパック１００からインスタントフィルム１１０を積層方向の上から順に１枚ずつ送り出す。フィルム送出機構５２は、インスタントフィルム１１０の送り方向Ｆに沿って前後移動するクロー５２ａを備え、そのクロー５２ａでケース内のインスタントフィルム１１０を積層方向の上から１枚ずつ掻き出して、インスタントフィルム１１０をインスタントフィルムパック１００から送り出す。
【００５８】
〈フィルム搬送機構〉
フィルム搬送機構５４は、フィルム送出機構５２によってインスタントフィルムパック１００から送り出されたインスタントフィルム１１０を搬送する。フィルム搬送機構５４は、展開ローラ対５４ａを備える。展開ローラ対５４ａは、図示しないモーターに駆動されて回転し、インスタントフィルム１１０を挟持して搬送する。インスタントフィルム１１０は、展開ローラ対５４ａに搬送される過程で現像処理される。すなわち、ポッド部１１４が展開ローラ対５４ａに押し潰されて、ポッド部内の現像処理液が展開処理される。
【００５９】
〈露光用ディスプレイ〉
露光用ディスプレイ５６は、インスタントフィルム１１０に画像を記録するためのディスプレイである。露光用ディスプレイ５６は、画像の表示によりインスタントフィルム１１０を露光させて、インスタントフィルム１１０に画像を記録する。露光用ディスプレイ５６は、第１表示部の一例である。露光用ディスプレイ５６は、フィルム装填室５０の底面部に備えられる。インスタントフィルムパック１００がフィルム装填室５０に装填されると、そのケース１２０の内部に収容されたインスタントフィルム１１０の露光面１１０ａが、露光用開口１２０ａを介して、露光用ディスプレイ５６の表示面５６ａと対向して配置される。露光用ディスプレイ５６は、インスタントフィルム１１０を１回で露光可能なサイズを有する。したがって、少なくともインスタントフィルム１１０の観察領域１１８よりも大きなサイズの表示面５６ａを有する。
【００６０】
露光用ディスプレイ５６は、バックライトを備えた透過型のカラー液晶ディスプレイ（ＬＣＤ：Liquid Crystal Display）で構成される。
【００６１】
図１０は、露光用ディスプレイ及びディスプレイの概略構成を示す図である。
【００６２】
同図に示されるように、露光用ディスプレイ５６は、露光用液晶ディスプレイ５８及び露光用バックライト６０を備える。露光用液晶ディスプレイ５８は、透過型のカラー液晶ディスプレイで構成される。露光用バックライト６０は、露光用液晶ディスプレイ５８の背後から露光用液晶ディスプレイ５８の表示領域の全面に均一に光を照射する。露光用バックライト６０は、光源である棒状ランプ６０ａと、棒状ランプ６０ａから出射された光を露光用液晶ディスプレイ５８の表示領域の全面に均一に導く導光板６０ｂと、を備える。
【００６３】
露光用ディスプレイ５６の表示面５６ａには、ルーバー部材６２が備えられる。ルーバー部材６２は、露光用ディスプレイ５６の各画素からの光の出光方向を一定範囲に制限する。ルーバー部材６２は、出光方向制限部材の一例である。ルーバー部材６２は、インスタントフィルムパック１００の露光用開口１２０ａに対応した外形の薄板形状を有する。
ルーバー部材６２は、インスタントフィルムパック１００がフィルム装填室５０に装填されると、露光用開口１２０ａに収まる位置に配置される。ルーバー部材６２は、ケース１２０内に収容されたインスタントフィルム１１０の露光面１１０ａと離間して対向配置される。
【００６４】
露光用ディスプレイ５６の複数の画素は、ｘ方向及びｙ方向に二次元配列される。なお、露光用ディスプレイ５６については、インスタントフィルムへの記録を考慮すると、画素ピッチ（隣接する画素間の距離）が２００μｍ以下であることが好ましい。なお、より良好な画像を得るには１５０μｍ以下、より好ましくは１２５μｍ以下、更に好ましくは、８５μｍ以下の画素ピッチであることが好ましい。
【００６５】
ルーバー部材６２は、露光用ディスプレイ５６と同様に、インスタントフィルム１１０を１回で露光可能なサイズを有する。したがって、ルーバー部材６２は、少なくともインスタントフィルム１１０の観察領域１１８よりも大きなサイズを有する。ルーバー部材６２は観察領域１１８よりも大きなサイズを有する限り、露光領域１１２より小さくても、また、露光領域１１２より大きくてもよい。
【００６６】
図１１は、ルーバー部材６２とインスタントフィルムパック１００との大きさの関係を示す斜視図である。図１１に示されるように、ルーバー部材６２は、インスタントフィルムパック１００のケース１２０の露光用開口１２０ａの収まる大きさである。一方、ルーバー部材６２は、インスタントフィルム１１０をインスタントフィルムパック１００から排出するクロー５２ａの矢印で示す移動軌跡Ｍを回避した位置に配置される。クロー５２ａは、ルーバー部材６２に阻害されることなく、インスタントフィルム１１０をインスタントフィルムパック１００から排出できる。
【００６７】
図１２は、ルーバー部材の一部を拡大した断面図である。図１３は、ルーバー部材の一部を拡大した正面図である。図１２、及び図１３に示される出光方向制限部材は、一層構造のルーバー部材６２で構成される。
【００６８】
図１２に示されるように、ルーバー部材６２は、対向する２つの主面を有し、一方の主面は入射面６２ａを構成し、他方の主面は出射面６２ｂを構成する。入射面６２ａは、露光用ディスプレイ５６の表示面５６ａと対向して配置される面であり、出射面６２ｂは、インスタントフィルム１１０の露光面１１０ａと対向して配置される面である。
【００６９】
ルーバー部材６２は、露光用ディスプレイ５６の各画素からの光の出光方向を一定範囲に制限する機能を有する。この機能を有する限り、ルーバー部材６２の形状は限定されない。例えば、ルーバー部材６２は可撓性を有するフィルム状であっても、剛性を有するプレート状であってもよい。
【００７０】
ルーバー部材６２の出射面６２ｂの側には保護部材として保護フィルム６６を備える。
保護フィルム６６は、ルーバー部材６２とインスタントフィルム１１０の露光面１１０ａと間を一定の距離Ｓだけ離間させる。距離Ｓは保護フィルム６６の厚みと同じになる。
【００７１】
ルーバー部材６２は、格子状の遮光部６４と、その遮光部６４によって区切られた透光部６５と、で構成される。格子状の遮光部６４は、ｘ方向（第１の方向）に延び、ｙ方向
（第２の方向）に離間して配置された複数の第１の遮光部６４ａと、ｙ方向（第２の方向）に延び、ｘ方向（第１の方向）に離間した配置された複数の第２の遮光部６４ｂとにより構成される。遮光部６４は、光を吸収する光吸収部材としてもよく、光を反射する光反射部材とすることもできる。遮光部６４を構成する素材は、着色された樹脂材料を用いることができ、例えば、黒色シリコーンゴム等を用いることができる。
【００７２】
また、光を吸収する材料として、ニュートラルデンシティーフィルタ（ＮＤ（Neutral Density）フィルタ）を用いることができる。ＮＤフィルタは、中立な光学濃度のフィルタを意味し、露光に用いられる波長域において、波長に影響を与えることなく、均等に光を吸収（吸収率で５０％以上９９．９９９％以下；光透過率で０．００１％以上、５０％以下）できるフィルタである。
【００７３】
遮光部６４は、入射面６２ａ及び出射面６２ｂに対して垂直な壁面を有する。透光部６５は、透光性を有する素材（たとえば、ガラス、透明なシリコーンゴム等）で構成され、ルーバー部材６２の入射面６２ａ及び出射面６２ｂに対して垂直な光路を構成する。
【００７４】
保護フィルム６６は、ルーバー部材６２を保護する部材（保護部材）である。保護部材は、透光性を有する素材（たとえば、アクリル樹脂、ポリカーボネート、塩化ビニル樹脂等）で構成される。
【００７５】
また、一般に液晶ディスプレイ等のフラットパネルディスプレイには、その表示面に保護部材としてのガラスが備えられるが、露光用ディスプレイ５６に使用する表示デバイスは、各画素からインスタントフィルム１１０の露光面１１０ａまでの距離を短くするため、保護部材の厚みの薄いものを用いることが好ましい。
【００７６】
保護部材については、必ずしも必要ではないが、出光方向制限部材であるルーバー部材６２を保護するために備えることが好ましい。
【００７７】
保護部材の厚みは、０．１μｍ以上、５００μｍ以下とすることが好ましい。保護部材の厚みを０．１μｍ以上とすることで、出光方向制限部材を保護する効果の他に、モアレを目立たなくする効果がある。また、出光方向制限部材の欠陥又は構造に基づいて生じた画像の欠陥を目立たなくする効果もある。また、保護部材の厚みを５００μｍ以下とすることで、記録画像のぼけを防止できる。
【００７８】
上記の構成のルーバー部材６２は、入射面６２ａに対して略垂直に入射する光のみを選択的に透過させる。露光用ディスプレイ５６は、表示面５６ａにルーバー部材６２が備えられることにより、各画素Ｐｉｘからの光の出光方向が表示面５６ａに対して略垂直な方向に制限される。これにより、インスタントフィルム１１０の露光面１１０ａに対して、各画素Ｐｉｘの光を略垂直に照射でき、記録される画像のにじみを抑制できる。すなわち、記録される画像がぼけるのを防止できる。
【００７９】
ルーバー部材６２とインスタントフィルム１１０の露光面１１０ａとが離間されている。この離間は、出射面６２ｂから出射される光が拡散することを許容する。この光の拡散は、遮光部６４に起因して（遮光部６４が影となり）、インスタントフィルム１１０の露光面１１０ａに未露光領域が形成されることを抑制する。図１２では、保護フィルム６６により、ルーバー部材６２とインスタントフィルム１１０の露光面１１０ａとを離間する。但し、保護フィルム６６の有無に関わらず、ルーバー部材６２とインスタントフィルム１１０の露光面１１０ａとを離間する位置で固定めできればよい。
【００８０】
ルーバー部材６２の厚みは、１．５ｍｍ以上、４．０ｍｍ以下とすることが好ましい。より好ましくは、２．０ｍｍ以上、４．０ｍｍ以下であり、更に好ましくは、２．５ｍｍ以上、４．０ｍｍ以下である。ルーバー部材６２の厚みを厚くすることにより、より効果的に出光方向を制限できる。その一方でルーバー部材６２の厚みが厚くなると、記録画像がぼけやすくなる。したがって、上記範囲の厚みでルーバー部材６２を構成することが好ましい。
【００８１】
また、遮光部６４のピッチ（ルーバーピッチ）は８０μｍ以下が好ましく、６５μｍ以下がより好ましい。ピッチ（ルーバーピッチ）は、図１３の拡大図に示されるように、隣接する遮光部６４間の距離である。上記の範囲で設定することにより、露光用ディスプレイ５６の各画素Ｐｉｘからの斜め方向の光を適切に遮光でき、高品質な画像をインスタントフィルムに記録できる。
【００８２】
図１４は、出光方向制限部材の他の構成を示す。出光方向制限部材は第１のルーバー部材１５０と第２のルーバー部材１７０とが積層された構造である。符号１４Ａは、第１のルーバー部材１５０の平面である。符号１４Ｂは第２のルーバー部材１７０の平面である。
【００８３】
平面１４Ａに示されるように、第１のルーバー部材１５０は、ｘ方向（第１の方向）に延びる複数の第１の遮光部１５２と複数の第１の透光部１５４とが、ｙ方向（第２の方向）に交互に配列される。第１のルーバー部材１５０のピッチ（ルーバーピッチ）は８０μｍ以下が好ましい。ここで、ｘ方向（第１の方向）が、第１のルーバー部材１５０の延びる方向と定義される。
【００８４】
平面１４Ｂに示されるように、第２のルーバー部材１７０は、ｙ方向（第２の方向）に延びる複数の第２の遮光部１７２と複数の第２の透光部１７４とが、ｘ方向（第１の方向）に交互に配列される。第２のルーバー部材１７０のピッチ（ルーバーピッチ）は８０μｍ以下が好ましい。ここで、ｙ方向（第２の方向）が、第２のルーバー部材１７０の延びる方向と定義される。
【００８５】
符号１４Ｃで示されるように、第１のルーバー部材１５０と第２のルーバー部材１７０との積層体１４０が、出光方向制限部材を構成する。積層体１４０の厚みｔは、１．５ｍｍ以上、４．０ｍｍ以下とすることが好ましい。より好ましくは、２．０ｍｍ以上、４．０ｍｍ以下であり、更に好ましくは、２．５ｍｍ以上、４．０ｍｍ以下である。ここで、積層体が複数のルーバー部材で構成される場合、厚みはルーバー部材の合計厚み、すなわち積層体の厚みになる。
【００８６】
第１のルーバー部材１５０と第２のルーバー部材１７０とは接して配置され、第２のルーバー部材１７０とインスタントフィルム１１０の露光面１１０ａ（不図示）とは離間して配置される。
【００８７】
図１４において、第１のルーバー部材１５０の延びる方向をｘ方向（第１の方向）とし、第２のルーバー部材１７０の延びる方向をｙ方向（第２の方向）とした。これに限定されず、第１のルーバー部材１５０の延びる方向をｙ方向（第２の方向）とし、第２のルーバー部材１７０の延びる方向をｘ方向（第１の方向）とすることもできる。
【００８８】
図１５は、積層体１４０を第１のルーバー部材から見た正面図である。第１のルーバー部材１５０と第２のルーバー部材１７０とを積層することにより、複数の第１の遮光部１５２と複数の第２の遮光部１７２により積層体１４０の遮光部１４２が構成される。遮光部１４２で囲まれた領域が積層体１４０の透光部１４４となる。
【００８９】
拡大図に示されるように、第１のルーバー部材１５０の延びる方向と第２のルーバー部材１７０の延びる方向とが交差する角度θは９０度である。
【００９０】
図１６は、積層体の別の形態を示す部分拡大図である。図１６に示されるように、積層体１４０は、第１のルーバー部材１５０（不図示）の複数の第１の遮光部１５２と、第２のルーバー部材１７０（不図示）の複数の第２の遮光部１７２により積層体１４０の遮光部１４２が構成される。遮光部１４２で囲まれた領域が積層体１４０の透光部１４４となる。
【００９１】
図１６において、第１のルーバー部材１５０の延びる方向（ｘ方向（第１の方向））と第２のルーバー部材１７０の延びる方向（ｙ方向（第２の方向））とが交差する角度θは９０°より小さい。交差する角度θは７０度以上９０度以下であることが好ましい。この範囲とすることにより、モアレを抑制することが可能となる。
【００９２】
露光用ディスプレイ５６の画素を二次元配列する際の配列基準となるｘ方向及びｙ方向と、ルーバー部材６２、又は積層体１４０の延びる方向との間に角度差を付けることもできる。角度差により、モアレの発生を効果的に抑制できる。例えば、積層体１４０の場合、第１のルーバー部材１５０の延びる方向と、画素の配列基準のｘ方向との成す角度が、０度より大きく９０度未満が好ましく、１度以上８９度以下がより好ましく、１０度以上８０度以下がより好ましく、２０度以上７０度以下がさらに好ましい。
【００９３】
〈画像表示用ディスプレイ〉
画像表示用ディスプレイ１６は、画像を外部に表示するディスプレイであり、タッチパネルディスプレイで構成される。図１０に示されるように、画像表示用ディスプレイ１６は、画像表示用液晶ディスプレイ６８、画像表示用バックライト７０及びタッチセンサ７２を備える。画像表示用液晶ディスプレイ６８は、透過型のカラー液晶ディスプレイで構成される。画像表示用バックライト７０は、画像表示用液晶ディスプレイ６８の背後から画像表示用液晶ディスプレイ６８の表示領域の全面に均一に光を照射する。画像表示用バックライト７０は、白色の光源である棒状ランプ７０ａと、棒状ランプ７０ａから出射された光を画像表示用液晶ディスプレイ６８の表示領域の全面に均一に導く導光板７０ｂと、を備える。タッチセンサ７２は、画像表示用ディスプレイ１６の表示面１６ａに備えられる。タッチセンサ７２は、タッチ操作検出部の一例である。タッチセンサ７２は、画像表示用ディスプレイ１６の表示面１６ａへのタッチ操作を検出する。
【００９４】
図６及び図１０に示されるように、画像表示用ディスプレイ１６は、露光用ディスプレイ５６に重ねて配置される。画像表示用ディスプレイ１６と露光用ディスプレイ５６との間には、遮光壁７４が備えられる。遮光壁７４は、遮光部材の一例であり、互いのバックライトの光が他方の表示領域に漏洩するのを防止する。これにより、画像表示用バックライト７０の光が露光用ディスプレイ５６側に漏洩して、インスタントフィルム１１０が感光するのを防止できる。
【００９５】
露光用ディスプレイ５６の画素数は、画像表示用ディスプレイ１６の画素数と異ならせることができる。例えば、露光用ディスプレイ５６の画素数が、画像表示用ディスプレイ１６の画素数より多いことが好ましい。画素数の多い露光用ディスプレイ５６は、インスタントフィルム１１０に、高品質な画像のプリントを可能にする。
【００９６】
露光用ディスプレイ５６の輝度は、画像表示用ディスプレイ１６の輝度と異ならせることができる。例えば、露光用ディスプレイ５６の輝度が、画像表示用ディスプレイ１６の輝度より高いことが好ましい。露光用ディスプレイ５６からの光が、ルーバー部材６２により減衰される。露光用ディスプレイ５６の輝度を高くすることは、インスタントフィルム１１０に対する露光不足を解消できる。
【００９７】
［電気的構成］
図１７は、プリンタ付きデジタルカメラの電気的構成を示すブロック図である。
【００９８】
同図に示されるように示される、プリンタ付きカメラ１は、ＣＰＵ（CPU：Central Processing Unit）、ＲＯＭ（ROM：Read Only Memory）、ＲＡＭ（RAM：Random Access Memory）を備えたマイコン（マイクロコンピュータ）８０を備え、マイコン８０によって、各部の駆動が制御される。すなわち、マイコン８０が、撮像レンズ１２、イメージセンサ４２、フィルム送出機構５２、フィルム搬送機構５４等の駆動を制御する。マイコン８０は、操作部９２からの操作入力に基づいて、各部を制御する。操作部９２は、電源ボタン１８及びタッチセンサ７２で構成される。マイコン８０は、所定の制御プログラムを実行することにより、各種の制御機能を実現する。
【００９９】
プリンタ付きカメラ１は、アナログ信号処理部８２、デジタル信号処理部８４、プリント用画像処理部８６、メモリ８８、メモリコントローラ８８ａ及び表示コントローラ９０を備える。
【０１００】
アナログ信号処理部８２は、イメージセンサ４２から出力される画素ごとのアナログの画像信号を取り込み、所定の信号処理（たとえば、相関二重サンプリング処理、増幅処理等）を施す。アナログ信号処理部８２は、ＡＤＣ（Analog to Digital Converter／ＡＤコンバータ）を含み、所定の信号処理後のアナログの画像信号をデジタルの画像信号に変換して出力する。
【０１０１】
デジタル信号処理部８４は、アナログ信号処理部８２から出力されるデジタルの画像信号を取り込み、所定の信号処理（たとえば、階調変換処理、ホワイトバランス補正処理、ガンマ補正処理、同時化処理、ＹＣ変換処理等）を施して、画像データを生成する。生成された画像データは、マイコン８０に出力される。
【０１０２】
プリント用画像処理部８６は、マイコン８０による制御の下、プリントする画像データに所定の画像処理を施して、プリント用の画像データを生成する。すなわち、露光用ディスプレイ５６に表示させる画像データを生成する。この画像データは、インスタントフィルム１１０への露光に最適化した画像データである。その結果、表示コントローラ９０は、画像表示用ディスプレイ１６に表示した画像とは異なる画像を露光用ディスプレイ５６に表示できる。
【０１０３】
なお、本実施の形態のプリンタ付きカメラ１では、モノシートタイプのインスタントフィルム１１０を使用することから、画像処理の一環として、画像の左右反転処理が行われる。また、インスタントフィルム１１０は、上下（天地）を逆にして、プリンタ付きカメラ１に装填されることから、上下の反転処理が行われる。
【０１０４】
図１８は、プリント用画像の生成の概念図である。
【０１０５】
同図において、（Ａ）は、プリント対象の画像データが表わす画像であり、（Ｂ）は、プリント用の画像データが表わす画像である。同図に示されるように、プリント用の画像は、元の画像に対して、上下及び左右が反転した画像となる。
【０１０６】
メモリ８８は、画像データを含む各種データを記憶する。メモリ８８は、たとえば、ＥＥＰＲＯＭ（Electrically Erasable Programmable Read Only Memory）等の不揮発性メモリで構成される。メモリコントローラ８８ａは、マイコン８０による制御の下、メモリ８８にデータを読み書きする。
【０１０７】
表示コントローラ９０は、マイコン８０による制御の下、画像表示用ディスプレイ１６及び露光用ディスプレイ５６に画像を表示させる。表示コントローラ９０は、たとえば、ＬＳＩ（Large Scale Integration；大規模集積回路）で構成される。
【０１０８】
図１９は、表示コントローラが有する機能のブロック図である。
【０１０９】
表示コントローラ９０は、画像表示用ディスプレイ１６に画像を表示させる場合、画像表示用液晶ディスプレイ６８に表示データを出力し、かつ、画像表示用バックライト７０を点灯（ＯＮ）する。また、表示コントローラ９０は、露光用ディスプレイ５６に画像を表示させる場合、露光用液晶ディスプレイ５８に表示データを出力し、かつ、露光用バックライト６０を点灯（ＯＮ）する。
【０１１０】
マイコン８０は、所定の表示制御プログラムを実行することにより、表示制御部８０ａとしての機能し、表示コントローラ９０を介して、画像表示用ディスプレイ１６及び露光用ディスプレイ５６の表示を制御する。
【０１１１】
プリンタ付きカメラ１のモードが撮像モードに設定されると、表示制御部８０ａは、イメージセンサ４２が捉えた画像をリアルタイムに画像表示用ディスプレイ１６に表示させる。すなわち、ライブビュー画像を画像表示用ディスプレイ１６に表示させる。また、撮像に必要な操作ボタン（シャッターボタン等）を画像表示用ディスプレイ１６に表示する。更に、必要に応じて、撮像に関する情報（絞り値、シャッタ速度、撮像可能枚数等）を画像表示用ディスプレイ１６に表示する。
【０１１２】
また、プリンタ付きカメラ１のモードが再生モードに設定されると、表示制御部８０ａは、画像記憶部として機能するメモリ８８に記録された画像データを画像表示用ディスプレイ１６に表示させる。
【０１１３】
更に、表示制御部８０ａは、設定画面の呼び出しに応じて、各種設定を行うための設定画面を画像表示用ディスプレイ１６に表示させる。
【０１１４】
一方、画像をプリントする場合には、プリント用の画像を露光用ディスプレイ５６に表示させる。この際、表示制御部８０ａは、画像表示用ディスプレイ１６の表示をオフにする。
【０１１５】
［プリンタ付きデジタルカメラの作用］
〈撮像〉
プリンタ付きカメラ１は、電源をオンにすると、撮像モードで起動する。撮像モードでは、イメージセンサ４２で捉えた画像が、画像表示用ディスプレイ１６にリアルタイムに表示される。すなわち、ライブビュー画像が画像表示用ディスプレイ１６に表示される。
ユーザは、画像表示用ディスプレイ１６をファインダとして使用し、構図の調整、主要被写体への合焦状態等を確認する。
【０１１６】
図２０は、撮像モードでの画像表示用ディスプレイの表示の一例を示す図である。
【０１１７】
同図に示されるように、画像表示用ディスプレイ１６には、ライブビュー画像ＬＩ及び各種操作ボタンが表示される。図２０に示す例では、操作ボタンとして、シャッターボタンＳＢ、再生ボタンＰＢ及びメニューボタンＭＢを表示した場合を示している。シャッターボタンＳＢは、画像の記録（撮像）を指示するボタンである。再生ボタンＰＢは、再生モードへの切り替えを指示するボタンであり、モード切換部を構成する。メニューボタンＭＢは、メニュー画面の表示を指示するボタンである。
【０１１８】
ユーザは、シャッターボタンＳＢにタッチして、画像の記録を指示する。画像の記録が指示されると、イメージセンサ４２から記録用の画像データが取り込まれ、所要の信号処理を施されて、メモリ８８に記録される。マイコン８０は、インスタントフィルムパック１００がフィルム装填室５０の装填前、又は露光前のインスタントフィルム１１０がインスタントフィルムパック１００に存在しない場合でも、ユーザに撮像を許可する。プリント可能なインスタントフィルム１１０がなくても、ユーザの指示により、イメージセンサ４２から記録用の画像データが取り込まれ、所要の信号処理を施されて、メモリ８８に記録される。
【０１１９】
〈再生〉
撮像モードの状態で画像表示用ディスプレイ１６に表示された再生ボタンＰＢをタッチすると、プリンタ付きカメラ１のモードが再生モードに切り替わる。
【０１２０】
再生モードに切り替わると、最後に撮像された画像（最後にメモリ８８に記録された画像）の画像データが、メモリ８８から読み出され、画像表示用ディスプレイ１６に表示される。
【０１２１】
図２１は、再生モードでの画像表示用ディスプレイの表示の一例を示す図である。
【０１２２】
同図に示されるように、画像表示用ディスプレイ１６には、再生画像ＰＩ及び各種操作ボタンが表示される。図２１に示す例では、操作ボタンとして、プリントボタンＰｒＢ、カメラボタンＣＢ及びメニューボタンＭＢを表示した場合を示している。プリントボタンＰｒＢは、表示中の画像のプリントを指示するボタンであり、プリント指示部を構成する。カメラボタンＣＢは、撮像モードへの切り替えを指示するボタンであり、モード切換部を構成する。メニューボタンＭＢは、メニュー画面の表示を指示するボタンである。
【０１２３】
表示中の画像をプリントする場合、ユーザは、プリントボタンＰｒＢをタッチする。また、コマ送りする場合は、画像表示用ディスプレイ１６の画面をフリック操作する。フリック操作とは、指先で画面をはらう操作である。また、表示中の画像を拡大する場合は、画像表示用ディスプレイ１６の画面をピンチアウト操作する。ピンチアウト操作とは、２本の指で画面に触れたまま、指の間隔を広げる操作である。また、表示中の画像を縮小する場合は、画像表示用ディスプレイ１６の画面をピンチイン操作する。ピンチイン操作とは、2本の指で画面に触れたまま、指の間隔を狭める操作である。
【０１２４】
〈プリント〉
上記のように、再生モードにおいて、画像再生中にプリントボタンＰｒＢがタッチされると、表示中の画像がプリントされる。また、撮像モードにおいて、オートプリントモードが選択されると、撮像された画像が、プリントの指示を待たずに、そのままプリントされる。オートプリントモードのオン、オフの設定は、たとえば、メニュー画面からモードの設定画面を呼び出して行われる。
【０１２５】
プリントが指示されると、画像表示用ディスプレイ１６に表示されたプリント対象の画像データがプリント用画像処理部８６に加えられ、プリント用の画像データが生成される。マイコン８０は、生成されたプリント用の画像データを表示コントローラ９０に加えて、露光用ディスプレイ５６に表示させる。これにより、プリント用の画像が露光用ディスプレイ５６に表示される。
【０１２６】
露光用ディスプレイ５６に画像が表示されることにより、インスタントフィルム１１０が露光される。この際、インスタントフィルム１１０は、露光用ディスプレイ５６の各画素からの光が、ルーバー部材６２を介して照射されて露光される。ルーバー部材６２は、露光面１１０ａに対して略垂直な光のみを透過させる作用を有する。この表示制御方法により、画像のぼけを防止でき、高品質な画像をプリントできる。
【０１２７】
画像は、一定時間、一定の輝度で表示される。露光時間は、露光用ディスプレイ５６の輝度に基づいて設定される。すなわち、インスタントフィルム１１０を適正に露光できる時間に設定される。
【０１２８】
表示開始から一定時間経過すると、露光用ディスプレイ５６の表示がオフされ、露光が終了する。露光が終了すると、フィルム送出機構５２及びフィルム搬送機構５４が駆動される。フィルム送出機構５２が駆動されることにより、露光済みのインスタントフィルム１１０がクロー５２ａによってケース１２０から排出される。ケース１２０から排出されたインスタントフィルム１１０は、展開ローラ対５４ａによって、フィルム排出口２０から排出される。また、その排出過程で現像処理される。すなわち、ポッド部１１４が展開ローラ対５４ａに押し潰されて、ポッド部内の現像処理液が展開処理され、現像処理される。
【０１２９】
図２２は、再生モードでプリントする場合の画像表示用ディスプレイの画面表示の遷移状態を示す図である。
【０１３０】
図２２（Ａ）は、画像の再生状態を示しており、この状態でプリントボタンをタッチして、再生中の画像のプリントを指示すると、図２２（Ｂ）に示されるように、プリントの確認画面が表示される。プリントの確認画面では、プリントのイメージが画像表示用ディスプレイ１６に表示される。すなわち、インスタントフィルム１１０にプリントした場合のイメージの画像（インスタントフィルム１１０の観察面１１０ｂの観察領域１１８にプリント対象の画像を収めた形態の画像）が表示される。また、これと同時にプリントの実行を指示する「ＯＫ」ボタン、及び、プリントの中止を指示する「ＣＡＮＣＥＬ」ボタンが表示される。ユーザは、プリントを実行する場合は、「ＯＫ」ボタンをタッチし、プリントを中止する場合は「ＣＡＮＣＥＬ」ボタンをタッチする。「ＣＡＮＣＥＬ」ボタンがタッチされると、図２２（Ａ）に示す再生画面に復帰する。一方、「ＯＫ」ボタンがタッチされると、図２２（Ｃ）に示されるように、プリントの実行を報知する画面が表示される。この画面では、「プリントします」のメッセージが表示される。この後、プリントが実行される。すなわち、露光用ディスプレイ５６に記録用の画像が表示され、インスタントフィルム１１０が露光される。露光中、図２２（Ｄ）に示されるように、画像表示用ディスプレイ１６の表示がオフされる。露光が終了すると、図２２（Ａ）に示されるように、プリントした画像の再生画面に復帰する。
【０１３１】
［画像表示用ディスプレイ及び露光用ディスプレイの表示制御］
上記のように、本実施の形態のプリンタ付きカメラ１では、露光中、画像表示用ディスプレイ１６の表示がオフされる。これにより、電力のピーク値を低減でき、電力負荷を低減できる。また、これにより、バッテリの小型化、延いては、カメラ全体の小型化を図れる。
【０１３２】
図２３は、画像表示用ディスプレイ及び露光用ディスプレイの表示制御のタイミングチャートである。
【０１３３】
同図は、時刻ｔ２で露光を開始し、時刻ｔ３で露光を終了する場合の表示制御の形態を示している。同図に示されるように、露光用ディスプレイ５６に画像を表示させてインスタントフィルム１１０を露光させている間、画像表示用ディスプレイ１６の表示をオフにする。
【０１３４】
画像表示用ディスプレイ１６は、露光を開始する一定時間前に表示がオフされる。換言すると、インスタントフィルムを露光させる場合、画像表示用ディスプレイ１６の表示をオフした後、一定時間経過後（Δｔ経過後）に露光が開始される。
【０１３５】
露光中、画像表示用ディスプレイ１６は、継続して表示がオフされ、露光が終了すると、一定時間経過後（Δｔ経過後）に表示がオンされる。すなわち、露光用ディスプレイ５６の表示がオフされ、そのオフから一定時間経過後に表示がオンされる。
【０１３６】
このように、露光用ディスプレイ５６の表示中は、必ず画像表示用ディスプレイ１６の表示がオフされる。これにより、電力のピーク値を低減でき、電力負荷を低減できる。
【０１３７】
［変形例］
〈撮像モードでの処理〉
撮像モードでプリントする場合、露光中、撮像部の駆動をオフにすることが好ましい。より具体的には、露光用ディスプレイ５６への画像の表示中、撮像レンズ１２及びイメージセンサ４２の駆動をオフにする。これにより、より効果的に電力ピーク値を低減できる。この場合、マイコン８０が、撮像制御部として機能し、撮像レンズ１２及びイメージセンサ４２の駆動を制御する。
【０１３８】
〈画像表示用ディスプレイ及び露光用ディスプレイの表示制御の変形例１〉
画像表示用ディスプレイ１６及び露光用ディスプレイ５６は、バックライトのオン及びオフを制御して、表示のオン及びオフを制御してもよい。
【０１３９】
バックライトは、液晶ディスプレイの駆動に比して、電力消費が大きいので、バックライトのオン及びオフを制御して、表示のオン及びオフを制御することにより、十分に電力負荷を低減できる。また、制御を簡素化できる。
【０１４０】
〈画像表示用ディスプレイ及び露光用ディスプレイの表示制御の変形例２〉
バックライトのオン及びオフを制御して、画像表示用ディスプレイ１６及び露光用ディスプレイ５６の表示のオン及びオフを制御する場合、画像表示用ディスプレイ１６及び露光用ディスプレイ５６には、同じ画像を表示させてもよい。すなわち、表示コントローラ９０から同じ表示データを出力して、各液晶ディスプレイに同じ画像を表示させてもよい。これにより、表示制御を簡素化できる。
【０１４１】
本例の場合、露光中、画像表示用液晶ディスプレイ６８には、露光中の画像（インスタントフィルム１１０に記録する画像）が表示される。ただし、画像表示用バックライト７０がオフされているため、視認できない。同様に、撮像中、露光用液晶ディスプレイ５８にはライブビュー画像が表示されるが、露光用バックライト６０がオフされているため、インスタントフィルム１１０が露光することはない。
【０１４２】
〈画像表示用ディスプレイ及び露光用ディスプレイの表示制御の変形例３〉
画像表示用ディスプレイ１６及び露光用ディスプレイ５６に同じ画像を表示させる場合、画像表示用ディスプレイ１６及び露光用ディスプレイ５６は、同じ画像出力インターフェイスに接続する構成としてもよい。
【０１４３】
図２４は、画像表示用ディスプレイ及び露光用ディスプレイを同じ画像出力インターフェイスに接続する場合の概念図である。
【０１４４】
同図に示されるように、画像表示用ディスプレイ１６及び露光用ディスプレイ５６は、表示コントローラ９０に対して、同じ画像出力インターフェイス９０ａに接続される。より具体的には、画像表示用ディスプレイ１６の画像表示用液晶ディスプレイ６８と、露光用ディスプレイ５６の露光用液晶ディスプレイ５８が、表示コントローラ９０の同じ画像出力インターフェイス９０ａに接続される。これにより、表示コントローラ９０から画像表示用液晶ディスプレイ６８及び露光用液晶ディスプレイ５８に同じ表示データが加えられ、同じ画像が表示される。
【０１４５】
このように、表示制御のためのインターフェイスを画像表示用ディスプレイ１６及び露光用ディスプレイ５６で共用することにより、構成をより簡素化できる。
【０１４６】
〈画像表示用ディスプレイ及び露光用ディスプレイの表示制御の変形例４〉
スイッチにより点灯させるバックライトを切り替えて、画像表示用ディスプレイ１６及び露光用ディスプレイ５６の表示のオン及びオフを制御してもよい。
【０１４７】
図２５は、スイッチにより点灯させるバックライトを切り替えて、画像表示用ディスプレイ及び露光用ディスプレイの表示のオン及びオフを制御する場合の概念図である。
【０１４８】
同図に示されるように、画像表示用バックライト７０及び露光用バックライト６０は、スイッチ９０ｂによって、択一的に点灯される。これにより、画像表示用ディスプレイ１６及び露光用ディスプレイ５６のいずれか一方だけを選択的に表示させることができる。
【０１４９】
〈画像表示用ディスプレイ及び露光用ディスプレイの表示制御の変形例４〉
上記のように、インスタントフィルム１１０を露光する場合、露光用ディスプレイ５６に画像を一定時間、一定の輝度で表示させる。したがって、露光用ディスプレイ５６の輝度は一定である。
【０１５０】
一方、画像表示用ディスプレイ１６については、その輝度をユーザが自由に調節できることが好ましい。すなわち、別途、輝度調節部を設けて、ユーザが任意に調整できるようにすることが好ましい。これにより、使用環境によらずに、常に良好な視認性を確保できる。
【０１５１】
輝度調節は、たとえば、輝度の調節画面を用意し、画面操作で行う。輝度の調節画面は、たとえば、メニュー画面から呼び出す構成とする。この他、カメラボディ１０に輝度調節ダイヤル等を設けて調節する構成とすることもできる。
【０１５２】
なお、露光用ディスプレイ５６については、一定の輝度とするが、ルーバー部材６２が備えられることから、その輝度は、画像表示用ディスプレイ１６の輝度よりも高く設定される。
【０１５３】
〈画像表示用ディスプレイ及び露光用ディスプレイの変形例〉
上記実施の形態では、画像表示用ディスプレイ１６及び露光用ディスプレイ５６を共に液晶ディスプレイで構成しているが、画像表示用ディスプレイ１６及び露光用ディスプレイ５６として使用する表示デバイスは、これに限定されるものではない。この他、たとえば、有機エレクトロルミネッセンスディスプレイ（Organic Electro-Luminescence Display；ＯＥＬＤ）、プラズマディスプレイ、電界放出ディスプレイ（Field Emission Display；ＦＥＤ）、電子ペーパ等のフラットパネルディスプレイを使用できる。また、画像表示用ディスプレイ１６及び露光用ディスプレイ５６は、必ずしも同じ表示デバイスである必要はなく、たとえば、一方を液晶ディスプレイで構成し、他方を有機ＥＬディスプレイで構成することもできる。また、画像表示用ディスプレイ１６及び露光用ディスプレイ５６は、異なる表示サイズのものを用いてもよい。
【０１５４】
画像表示用ディスプレイ１６及び露光用ディスプレイ５６を液晶ディスプレイで構成する場合、バックライトは、面で発光する構成のものを用いてもよい。
【０１５５】
〈画像表示用ディスプレイ及び露光用ディスプレイのレイアウトの変形例〉
上記実施の形態では、画像表示用ディスプレイ１６及び露光用ディスプレイ５６を背中合わせに重ねて配置する構成としているが、画像表示用ディスプレイ１６及び露光用ディスプレイ５６のレイアウトは、これに限定されるものではない。たとえば、フィルム装填室５０を挟んで配置する構成とすることもできる。この場合、フィルム装填室５０にインスタントフィルムパック１００を装填すると、インスタントフィルム１１０を挟んで画像表示用ディスプレイ１６及び露光用ディスプレイ５６が配置される。
【０１５６】
図２６は、インスタントフィルムパックを挟んで画像表示用ディスプレイ及び露光用ディスプレイを配置する場合のプリンタ付きデジタルカメラの概略構成を示す図である。
【０１５７】
同図は、フィルム蓋カバー１４に画像表示用ディスプレイ１６を配置する場合の例を示している。このように、フィルム蓋カバー１４に画像表示用ディスプレイ１６を配置することにより、インスタントフィルムパック１００を挟んで画像表示用ディスプレイ１６及び露光用ディスプレイ５６が配置される。
【０１５８】
インスタントフィルムパック１００を挟んで画像表示用ディスプレイ１６及び露光用ディスプレイ５６が配置されることにより、遮光壁を省略できる。
【０１５９】
〈撮像部の変形例〉
撮像部は、複数備えてもよい。たとえば、カメラボディ１０の正面及び背面にそれぞれ備えてもよい。また、撮像部をカメラボディに回転可能に保持し、撮像方向を任意に調整できるようにしてもよい。
【０１６０】
〈インスタントフィルムの変形例〉
使用するインスタントフィルムについては、モノシートタイプのもの限らず、ピールアパート方式のインスタントフィルム等を使用してもよい。
【０１６１】
〈出光方向制限部材の変形例〉
また、出光方向制限部材であるルーバー部材として、透光部は、少なくとも光を通過できればよい。したがって、透光部を空洞で構成し、遮光部のみで出航方向制限層を構成することもできる。出光方向制限部材は多孔板であってもよい。多孔板は、露光用ディスプレイの画素からの光の出光を制限するため、所定厚みの矩形板に所定の形状およびサイズの貫通孔を所定ピッチで多数設けたものである。多孔板２の材質としては、特に制限的ではないが、例えば所定の厚みを有するアルミニウム板等の金属板、樹脂板またはカーボン材料板等を用いることができる。
【０１６２】
〈プリント用画像処理の変形例〉
より高品質な画像をプリントするために、露光用の画像、すなわち、画像表示用ディスプレイに表示される画像に比べて、露光用ディスプレイに表示する画像に所定の画像処理を施してもよい。たとえば、記録画像の濃度差が、表示画像よりも減少してしまうことを考慮して、表示画像の高周波成分（エッジ部）を予め増加（強調）させる処理、いわゆるエッジ強調処理を行ってもよい。エッジ強調処理としては、たとえば、アンシャープマスク処理等の公知の手法を採用できる。
【０１６３】
具体的には、まず、アンシャープマスクを生成する。アンシャープマスクの生成には、例えば、以下の（１）式に示す、ｆ（ｘ、ｙ）をフィルタ係数とし、分布の度合いを標準偏差σとした、二次元ガウス分布を適用する。
【０１６４】
【数１】
2020054732.tif 000003
【０１６５】
なお、上記（１）式における標準偏差σは、ガウス分布、すなわちぼかし画像のぼかしの半径であり、本実施形態では画素数（ピクセル数）で表記する。入力画像に対して上記（１）式で示したアンシャープマスクを掛け合わせることにより、図２７に示すように、入力画像から、ぼかし画像を生成する。
【０１６６】
さらに、プリント用画像処理部８６は、図２８に示されるように、入力画像と、ぼかし画像との差分から高周波成分画像を生成する。図２８に示されるように、高周波成分画像では、階調差が大きい領域では、特に差分が大きくなる。
【０１６７】
さらに、プリント用画像処理部８６は、図２９に示されるように、入力画像に、高周波成分画像を重みＷに応じて、加算することにより、高周波成分が強調された表示画像を生成する。すなわち、表示画像は、入力画像に比べて、画質が劣化された状態となる。
【０１６８】
なお、露光用ディスプレイ５６の解像度が３２５ｐｐｉ（pixel per inch）の場合、入力画像に対して適用するアンシャープマスク処理では、「高調波成分強調実験」として後述するように、適用するアンシャープマスクの範囲は、標準偏差σをｘとし、重みＷをｙと表記した場合、図３０に示されるように、下記（２）式で表される範囲Ｍ１が好ましく、下記（３）式で表される範囲Ｍ２がより好ましく、下記（４）式で表される範囲Ｍ３がさらに好ましい。
【０１６９】
−０．１×ｘ＋０．３０＜ｙ＜−０．１×ｘ＋１．００    ・・・（２）
−０．１×ｘ＋０．４０＜ｙ＜−０．１×ｘ＋０．９０    ・・・（３）
−０．１×ｘ＋０．５０＜ｙ＜−０．１×ｘ＋０．８０    ・・・（４）
なお、露光用ディスプレイ５６の解像度がＸｐｐｉの場合、上記（２）式〜（４）式の標準偏差σにＸを３２５で割った数を掛け合わせた範囲に応じたアンシャープマスクを適用すればよい。具体的には、下記（５）式〜（７）式の各々で表される範囲Ｍ１〜Ｍ３に応じたアンシャープマスクを適用すればよい。
【０１７０】
−０．１×ｘ×（Ｘ÷３２５）＋０．３０＜ｙ＜−０．１×ｘ×（Ｘ÷３２５）＋１．００    ・・・（５）
−０．１×ｘ×（Ｘ÷３２５）＋０．４０＜ｙ＜−０．１×ｘ×（Ｘ÷３２５）＋０．９０    ・・・（６）
−０．１×ｘ×（Ｘ÷３２５）＋０．５０＜ｙ＜−０．１×ｘ×（Ｘ÷３２５）＋０．８０    ・・・（７）
プリント用画像処理部８６により高調波成分強調処理を行った後、表示コントローラ９０は、画像表示用ディスプレイ１６に表示された画像と比べて、高調波成分が強調された表示画像を露光用ディスプレイ５６に表示させ、インスタントフィルム１１０を露光する。
【符号の説明】
【０１７１】
１  プリンタ付きカメラ
１０  カメラボディ
１２  撮像レンズ
１４  フィルム蓋カバー
１４ａ  ヒンジ
１６  画像表示用ディスプレイ
１６ａ  表示面
１８  電源ボタン
２０  フィルム排出口
４２  イメージセンサ
５０  フィルム装填室
５２  フィルム送出機構
５２ａ  クロー
５４  フィルム搬送機構
５４ａ  展開ローラ対
５６  露光用ディスプレイ
５６ａ  表示面
５７  バネ機構
５８  露光用液晶ディスプレイ
６０  露光用バックライト
６０ａ  棒状ランプ
６０ｂ  導光板
６２  ルーバー部材
６２ａ  入射面
６２ｂ  出射面
６４  遮光部
６４ａ  第１の遮光部
６４ｂ  第２の遮光部
６５  透光部
６６  保護フィルム
６８  画像表示用液晶ディスプレイ
７０  画像表示用バックライト
７０ａ  棒状ランプ
７０ｂ  導光板
７２  タッチセンサ
７４  遮光壁
８０  マイコン
８０ａ  表示制御部
８２  アナログ信号処理部
８４  デジタル信号処理部
８６  プリント用画像処理部
８８  メモリ
８８ａ  メモリコントローラ
９０  表示コントローラ
９０ａ  画像出力インターフェイス
９０ｂ  スイッチ
９２  操作部
１００  インスタントフィルムパック
１１０  インスタントフィルム
１１０ａ  露光面
１１０ｂ  観察面
１１２  露光領域
１１４  ポッド部
１１４ａ  現像処理液ポッド
１１６  トラップ部
１１６ａ  吸収材
１１８  観察領域
１１８ａ  枠
１２０  ケース
１２０ａ  露光用開口
１２０ｂ  排出口
１２０ｃ  クロー開口部
１４０  積層体
１４２  遮光部
１４４  透光部
１５０  第１のルーバー部材
１５２  第１の遮光部
１５４  第１の透光部
１７０  第２のルーバー部材
１７２  第２の遮光部
１７４  第２の透光部
ＣＢ  カメラボタン
Ｆ  送り方向
Ｈ  水平軸
ＨＣＬ  水平中央線
ＬＩ  ライブビュー画像
Ｍ  移動軌跡
ＭＢ  メニューボタン
ＰＢ  再生ボタン
ＰＩ  再生画像
Ｐｉｘ  画素
ＰｒＢ  プリントボタン
Ｓ  距離
ＳＢ  シャッターボタン
Ｖ  垂直軸
ＶＣＬ  垂直中央線θ  角度
【図１】
2020054732.tif 000004
【図２】
2020054732.tif 000005
【図３】
2020054732.tif 000006
【図４】
2020054732.tif 000007
【図５】
2020054732.tif 000008
【図６】
2020054732.tif 000009
【図７】
2020054732.tif 000010
【図８】
2020054732.tif 000011
【図９】
2020054732.tif 000012
【図１０】
2020054732.tif 000013
【図１１】
2020054732.tif 000014
【図１２】
2020054732.tif 000015
【図１３】
2020054732.tif 000016
【図１４】
2020054732.tif 000017
【図１５】
2020054732.tif 000018
【図１６】
2020054732.tif 000019
【図１７】
2020054732.tif 000020
【図１８】
2020054732.tif 000021
【図１９】
2020054732.tif 000022
【図２０】
2020054732.tif 000023
【図２１】
2020054732.tif 000024
【図２２】
2020054732.tif 000025
【図２３】
2020054732.tif 000026
【図２４】
2020054732.tif 000027
【図２５】
2020054732.tif 000028
【図２６】
2020054732.tif 000029
【図２７】
2020054732.tif 000030
【図２８】
2020054732.tif 000031
【図２９】
2020054732.tif 000032
【図３０】
2020054732.tif 000033
【国際調査報告】
2020054732.tif 000034
2020054732.tif 000035
2020054732.tif 000036
2020054732.tif 000037